(57)【要約】【課題】  １つ以上の情報端末装置がある場合であっても、ユーザ等による特別な操作を必要とせず、１つ以上の情報端末装置の中から、所望の情報端末装置を特定することが可能な端末特定装置等を提供する。【解決手段】  端末特定装置１は、外部端末においてＷｅｂサイトにアクセスする際に送信される通信情報１０３に含まれる第２の識別子と、ドメイン情報と、通信情報１０３を受信した第２の受信時刻とを与える解析部２と、所定の演算によって、算出した確率値の値に応じて、所望の外部端末を特定可能な端末リストを生成するリスト生成部３とを備えることを特徴とする。【選択図】      図１
2015012551.tif 000002
【特許請求の範囲】
【請求項１】
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与える解析部と、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示するリスト生成部と、
を備えることを特徴とする端末特定装置。
【請求項２】
前記リスト生成部は、
外部端末を識別可能な識別子と外部端末の名称とを含む端末情報の中から前記第２の識別子に関連付けられた外部端末の名称を求め、前記確率値の値が大きい順となるように、前記確率値、前記第２の識別子、前記名称、前記ドメイン情報及び前記第２の受信時刻との中から、少なくとも前記確率値、前記第２の識別子及び前記名称を関連付けることによって前記端末リストを生成する
ことを特徴とする請求項１に記載の端末特定装置。
【請求項３】
前記リスト生成部は、
前記所定の演算として、前記第１の受信時刻と、前記第２の受信時刻との時刻差分値を算出すると共に、該時刻差分値に応じて、重み付けをすることにより前記確率値を算出する
ことを特徴とする請求項１に記載の端末特定装置。
【請求項４】
前記所望の外部端末を識別可能な特定の第２の識別子と、移行する情報とを含む端末特定情報を受信するのに応じて、前記特定の第２の識別子に基づき所定の処理によって、前記通信情報が前記所望の外部端末から送信された通信情報であるか否かを判別し、前記所望の外部端末から送信された通信情報であると判別した場合に、前記移行情報を前記通信情報に含めて応答する第１の情報更新部を、さらに備える
ことを特徴とする請求項１乃至請求項３の何れかに記載の端末特定装置。
【請求項５】
前記第１の情報更新部は、
前記移行情報として外部端末において表示中のＷｅｂサイトのＵＲＬにリダイレクトするように前記通信情報の応答に含めて応答する
ことを特徴とする請求項５に記載の端末特定装置。
【請求項６】
請求項１乃至請求項５の何れかに記載された端末特定装置を含むことを特徴とする中継装置。
【請求項７】
前記移行情報の移行元である第１の外部端末と、移行先である第２の外部端末とを含む１つ以上の外部端末と、中継装置とが通信ネットワークを介して通信可能に接続された端末特定システムであって、
前記第１の外部端末は、
前記第２の外部端末においてＷｅｂサイトにアクセスするタイミングを指示すると共に、前記第１の外部端末を識別可能な第１の識別子を含む前記トリガー情報を送信するトリガー送信部と、
前記端末リストの中から前記所望の外部端末を選定する操作を受け付けるのに応じて、前記端末リストに含まれる前記所望の外部端末に関連付けられた前記特定の第２の識別子を求め、前記第１の外部端末から前記移行情報を求め、前記求めた特定の第２の識別子宛に前記求めた移行情報を送信する端末特定部とを備え、
前記第２の外部端末は、
受信した前記移行情報を出力部に表示する第２の情報更新部を備え、
請求項１に記載された端末特定装置を含む前記中継装置とを備える
ことを特徴とする端末特定システム。
【請求項８】
前記第１の外部端末は、
前記求めた特定の第２の識別子と前記求めた移行情報とを含む前記端末特定情報を送信する前記端末特定部とを備え、
請求項１乃至請求項４の何れかに記載された端末特定装置を含む前記中継装置とを備える
ことを特徴とする請求項７に記載の端末特定システム。
【請求項９】
情報処理装置によって、
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与え、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示する
ことを特徴とする端末特定方法。
【請求項１０】
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与える機能と、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示する機能と、
をコンピュータに実現させることを特徴とするコンピュータ・プログラム。
【発明の詳細な説明】
【技術分野】
【０００１】
本発明は、例えば、通信ネットワークに接続された１つ以上の情報端末装置の中から、所望の情報端末装置を特定する技術分野に関する。
【背景技術】
【０００２】
例えば、複数のパーソナルコンピュータや携帯端末装置等の情報端末装置を所有するユーザは、情報端末装置（以降、「第１の情報端末装置」と称する）において表示するＷｅｂコンテンツを、第１の情報端末装置と異なる情報端末装置（以降、「第２の情報端末装置」と称する）においても表示したいという要望を持つこともある。
【０００３】
その場合に、ユーザは、第２の情報端末装置において、係るＷｅｂコンテンツを特定可能なＵＲＬ（Ｕｎｉｆｏｒｍ＿Ｒｅｓｏｕｒｃｅ＿Ｌｏｃａｔｏｒ：以降、「ＵＲＬ」と称する）を指定する、または、第１の情報端末装置から第２の情報端末装置に該URLを複製（コピー、以降、「移行」と表す）する必要がある。しかしながら、係る移行する操作は、ユーザにとって煩雑である。
【０００４】
このような背景から、第１の情報端末装置から第２の情報端末装置に係るＵＲＬを移行する手法は、多岐にわたり存在する。
【０００５】
例えば、係る手法は、情報端末装置間において、赤外線やＢｌｕｅｔｏｏｔｈ（登録商標：以降、省略する）等の近距離通信機能を利用することによりＵＲＬを送受信する技術が知られている。
【０００６】
より具体的に、第１の情報端末装置の近辺に複数の近距離通信可能な情報端末装置が存在する場合に、例えば、ユーザは、複数の情報端末装置の中から、ＵＲＬを移行したい第２の情報端末装置を特定する。
【０００７】
さらに、ユーザは、第１の情報端末装置と、特定した第２の情報端末装置との近距離通信機能によって、ＵＲＬを移行することができる。即ち、ユーザは、第１の情報端末装置において表示するＷｅｂコンテンツを、第２の情報端末装置に移行することができる。
【０００８】
ここで、本願出願に先立って存在する関連技術として、例えば、特許文献１は、検出されたデバイスリストに優先順位を付けるための方法、システム、及びモバイルデバイスに関する技術を開示する。
【０００９】
より具体的に、特許文献１に開示されたシステムは、ＢｌｕｅｔｏｏｔｈやＺｉｇＢｅｅ（登録商標：以降、省略する）等の近距離通信機能を用いて、近辺に存在する複数のデバイスから無線デバイス信号を受信する。
【００１０】
さらに、係るシステムは、受信した無線デバイス信号の強度に基づいて、デバイスリストに含まれる複数のデバイスを順位付ける。
【００１１】
このように、第１の情報端末装置の近傍に第２の情報端末装置が存在する場合に、係るシステムは、第２の情報端末装置を、デバイスリスト内において１番上に位置づける。そのため、例えば、ユーザは、第２の情報端末装置を、容易に選定することができる。
【先行技術文献】
【特許文献】
【００１２】
【特許文献１】特表２０１０−５２３０２３号公報
【発明の概要】
【発明が解決しようとする課題】
【００１３】
上述した近距離通信技術を用いて情報端末装置を特定する手法を適用するためには、第１の情報端末装置と、第２の情報端末装置との両方の情報端末装置に近距離通信機能を備える必要がる。そのため、係る手法では、利用できる情報端末装置が限定される。
【００１４】
さらに、係る手法は、第１及び第２の情報端末装置において近距離通信を開始する操作が必要となる。そのため、例えば、ＩＴ（Ｉｎｆｏｒｍａｔｉｏｎ＿Ｔｅｃｈｎｏｌｏｇｙ）リテラシーの低いユーザは、係る操作を容易に実施することができない。
【００１５】
また、特許文献１に開示されたシステムでは、例えば、第１の情報端末装置を保有するユーザから少し離れた場所に第２の情報端末装置があり、且つ第１の情報端末装置と第２の情報端末装置との間に近距離通信機能が搭載された他のデバイスがある場合に、他のデバイスの順位が第２の情報端末装置の順位よりも上位に位置づけられる可能性がある。
【００１６】
また、第２の情報端末装置と同程度の距離に同機種のデバイスが複数ある場合に、係るシステムは、複数のデバイスの順位が第２の情報端末装置の順位よりも上位に位置づけられる可能性があるだけでなく、第２の情報端末装置と複数のデバイスとを判別することができない。
【００１７】
そのため、特許文献１では、第２の情報端末装置を容易に選定することができない。
【００１８】
本発明の主たる目的は、１つ以上の情報端末装置がある場合であっても、ユーザ等による特別な操作を必要とせず、１つ以上の情報端末装置の中から、所望の情報端末装置を特定することが可能な端末特定装置等を提供することにある。
【課題を解決するための手段】
【００１９】
上記の課題を達成すべく、本発明に係る端末特定装置は、以下の構成を備えることを特徴とする。
【００２０】
即ち、本発明に係る端末特定装置は、
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与える解析部と、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示するリスト生成部と、
を備えることを特徴とする。
【００２１】
或いは、同目的は、上記に示す端末特定装置を含む中継装置によっても達成される。
【００２２】
或いは、同目的は、上記に示す端末特定装置を含む端末特定システムによっても達成される。
【００２３】
また、同目的を達成すべく、本発明に係る端末特定方法は、以下の構成を備えることを特徴とする。
【００２４】
即ち、本発明に係る端末特定方法は、
情報処理装置によって、
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与え、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示する
ことを特徴とする。
【００２５】
尚、同目的は、上記の各構成を有する端末特定装置及び端末特定方法を、コンピュータによって実現するコンピュータ・プログラム、及びそのコンピュータ・プログラムが格納されている、読み取り可能な記憶媒体によっても達成される。
【発明の効果】
【００２６】
本発明によれば、１つ以上の情報端末装置がある場合であっても、ユーザ等による特別な操作を必要とせず、１つ以上の情報端末装置の中から、所望の情報端末装置を特定することが可能な端末特定装置等を提供することができる。
【図面の簡単な説明】
【００２７】
【図１】本発明の第１の実施形態における端末特定装置の構成を示すブロック図である。
【図２】本発明の第１の実施形態における端末特定装置が行う動作を示すフローチャートである。
【図３】本発明の第２の実施形態における端末特定装置を含む端末特定システムの構成を示すブロック図である。
【図４Ａ】本発明の第２の実施形態における端末特定装置が行う動作を示すフローチャートである。
【図４Ｂ】本発明の第２の実施形態における端末特定装置が行う動作を示すフローチャートである。
【図５】本発明の第３の実施形態における端末特定装置を含む端末特定システムの構成を示すブロック図である。
【図６】本発明の第４の実施形態における端末特定装置を含む端末特定システムの構成を示すブロック図である。
【図７】本発明の実施形態における端末情報の構成を具体的に例示した図である。
【図８】本発明の実施形態におけるトリガー送信部が実行に際して表示する一表示態様を例示する図である。
【図９】本発明の実施形態におけるトリガー蓄積情報の構成を具体的に例示した図である。
【図１０】本発明の実施形態における端末リストの構成を具体的に例示した図である。
【図１１】本発明の実施形態における第３の端末特定部が端末リストを出力部に表示する一表示態様を例示する図である。
【図１２】本発明に係る各実施形態を実現可能な情報処理装置のハードウェア構成を例示的に説明するブロック図である。
【発明を実施するための形態】
【００２８】
以下、本発明の実施形態について図面を参照して詳細に説明する。
【００２９】
＜第１の実施形態＞
図１は、本発明の第１の実施形態における端末特定装置１の構成を示すブロック図である。
【００３０】
図１において、端末特定装置１は、解析部２と、リスト生成部３とを備える。
【００３１】
より具体的に、解析部２は、不図示の第１の情報端末装置（外部端末）から通信部４を介して、トリガー情報１０１を受信する場合に、受信したトリガー情報１０１に含まれる第１の情報端末装置を識別可能な識別子と、トリガー情報１０１を受信した時刻とに基づいて、記憶部５のトリガー蓄積情報１０２に記録する。
【００３２】
以下の説明においては、説明の便宜上、一例として、外部端末を情報端末装置と称する（以下、各実施形態においても同様）。
【００３３】
また、解析部２は、通信部４を介して通信情報１０３を受信する場合には、通信情報１０３に含まれる不図示の第２の情報端末装置（第１の情報端末装置と異なる情報端末装置）を識別可能な識別子と、その第２の情報端末装置においてＷｅｂサイトを表示する際に、アクセスするドメイン情報とを抽出する。
【００３４】
さらに、解析部２は、抽出した識別子とドメイン情報と、通信情報１０３を受信した時刻（受信時刻）とをリスト生成部３に与える。
【００３５】
尚、トリガー情報１０１、トリガー蓄積情報１０２及び通信情報１０３については、本実施形態において後述する。
【００３６】
また、以下の説明においては、説明の便宜上、一例として、トリガー情報１０１に含まれる識別子を「第１の識別子」と称する。通信情報１０３に含まれる識別子は、「第２の識別子」と称する。
【００３７】
さらに、以下の説明においては、トリガー情報１０１を受信した時刻を「第１の受信時刻」と称する。通信情報１０３を受信した時刻は、「第２の受信時刻」と称する（以下、各実施形態においても同様）。
【００３８】
リスト生成部３は、解析部２から第２の識別子とドメイン情報と、通信情報１０３を受信した時刻（第２の受信時刻）とを受信する。
【００３９】
リスト生成部３は、受信した第２の識別子に基づいて、端末情報１０４を参照すると共に、端末情報１０４の中から第２の識別子に関連付けられた特定の情報端末装置の名称を求める（端末情報１０４については、本実施形態において後述する）。
【００４０】
さらに、リスト生成部３は、トリガー蓄積情報１０２を参照すると共に、トリガー蓄積情報１０２の中から第１の受信時刻と、整理番号とを求める。
【００４１】
リスト生成部３は、第１の受信時刻と、第２の受信時刻とに基づき所定の演算によって、特定の情報端末装置に対する確率値を算出する（リスト生成部３が行う所定の演算については、本実施形態において後述する）。
【００４２】
即ち、リスト生成部３は、トリガー情報１０１を受信した時刻と、通信情報１０３を受信した時刻とに基づいて、所望の情報端末装置である確率（確率値）を求める。
【００４３】
リスト生成部３は、算出した確率値の値に応じて、所望の情報端末装置を特定可能な、整理番号、算出した確率値、第２の識別子、名称、ドメイン情報及び第２の受信時刻を含む端末リスト（例えば、図１０）を生成する。
【００４４】
さらに、リスト生成部３は、生成した端末リストを記憶部５に記録すると共に、通信部４を介して端末リストを提示する。
【００４５】
通信部４は、伝送媒体を介して情報端末装置やＷｅｂサーバ等と通信可能に接続する。また、通信部４は、各種情報を送受信する。
【００４６】
次に、記憶部５は、トリガー蓄積情報１０２、端末情報１０４及び端末リストを保持する。
【００４７】
ここで、記憶部５は、コンピュータによるデータの読み書きが可能な不揮発性の記憶デバイスである。より具体的に、一例として、記憶部５は、サーバ装置等の電子機器に搭載されたハードディスクドライブ（Ｈａｒｄ＿ｄｉｓｋ＿ｄｒｉｖｅ：以降、「ＨＤＤ」と称する）等の不揮発性の記憶装置を採用することができる。
【００４８】
また、一例として、記憶部５は、不図示の通信ネットワークに接続されたストレージデバイス（不図示）を採用してもよい。但し、本実施形態を例に説明する本発明は、前述した構成には限定されない（以下の実施形態においても同様）。
【００４９】
以下の説明において、より具体的に、本実施形態における端末特定装置１の動作について説明する。
【００５０】
図２は、本発明の第１の実施形態における端末特定装置１が行う動作を示すフローチャートである。係るフローチャートに沿って端末特定装置１の動作手順を説明する。
【００５１】
ここでは、第１の情報端末装置において、所望の情報端末装置（第２の情報端末装置）を特定することとする。
【００５２】
尚、説明の便宜上、上述した構成を例に説明するが、本実施形態を例に説明する本発明は、前述した構成にはこれに限定されない（以下の実施形態においても同様）。
【００５３】
ステップＳ１０１：
端末特定装置１の解析部２は、自装置が動作を開始するのに応じて、通信部４を介して受信した、例えば、トリガー情報１０１や通信情報１０３等の各種情報の受信（「キャプチャ」とも表す）を開始する。
【００５４】
ステップＳ１０２：
解析部２は、通信部４を介して受信した情報がトリガー情報１０１であるか否かを判別する。
【００５５】
ここで、解析部２は、第１の情報端末装置からトリガー情報１０１を受信することとする。
【００５６】
トリガー情報１０１は、外部端末においてＷｅｂサイトにアクセスするタイミングを指示する情報を表す。より具体的に、トリガー情報１０１は、例えば、第１の情報端末装置を識別可能な第１の識別子を含む情報である。第１の識別子とは、第１の情報端末装置に付与されたＩＰ（Ｉｎｔｅｒｎｅｔ＿Ｐｒｏｔｏｃｏｌ）アドレスを示す情報である。
【００５７】
ステップＳ１０３において「ＮＯ」：
解析部２は、受信した情報がトリガー情報１０１であるか否かを判別した結果、トリガー情報１０１でないと判別した場合に、処理をステップＳ１０５に進める。
【００５８】
ステップＳ１０３において「ＹＥＳ」：
解析部２は、受信した情報がトリガー情報１０１であるか否かを判別した結果、トリガー情報１０１である判別した場合に、処理をステップＳ１０４に進める。
【００５９】
ステップＳ１０４：
解析部２は、トリガー情報１０１を識別可能な整理番号、トリガー情報１０１に含まれる第１の識別子及びトリガー情報１０１を受信した時刻（第１の受信時刻）を記憶部５のトリガー蓄積情報１０２に記録する。次に、解析部２は、処理をステップＳ１０１に戻す。
【００６０】
即ち、トリガー蓄積情報１０２は、整理番号をキーとして、整理番号、第１の識別子（例えば、ＩＰアドレス等）及び第１の受信時刻が関連付けられた情報である。
【００６１】
ステップＳ１０５：
解析部２は、通信部４を介して受信した情報が通信情報１０３であるか否かを判別する。
【００６２】
ここで、通信情報１０３は、第２の情報端末装置においてＷｅｂサイトにアクセスする際に第２の情報端末装置から送信される各種情報である。
【００６３】
より具体的に、各種情報とは、例えば、ＩＰアドレスからＬＡＮ（Ｌｏｃａｌ＿Ａｒｅａ＿Ｎｅｔｗｏｒｋ）カードやルータ等のネットワーク機器に付与されたＭＡＣ（Ｍｅｄｉａ＿Ａｃｃｅｓｓ＿Ｃｏｎｔｒｏｌ）アドレスを求めるに際して、ネットワーク機器と情報端末装置との間において送受信されるＡＲＰ（Ａｄｄｒｅｓｓ＿Ｒｅｓｏｌｕｔｉｏｎ＿Ｐｒｏｔｏｃｏｌ）要求パケット及びＡＲＰ応答パケットである。
【００６４】
また、各種情報は、例えば、Ｗｅｂサイトにおけるドメイン名を解決（名前解決）するに際して、ＤＮＳ（Ｄｏｍａｉｎ＿Ｎａｍｅ＿Ｓｙｓｔｅｍ）サーバと情報端末装置との間において送受信されるＤＮＳクエリ要求パケット及びＤＮＳクエリ応答パケットである。
【００６５】
尚、ＤＮＳクエリ応答パケットには、Ｗｅｂブラウザから指定されたＷｅｂサーバのＩＰアドレスが含まれることが一般的に知られている。
【００６６】
さらに、各種情報は、例えば、ＴＣＰ（Ｔｒａｎｓｍｉｓｓｉｏｎ＿Ｃｏｎｔｒｏｌ＿Ｐｒｏｔｏｃｏｌ）によって情報端末装置とＷｅｂサーバとの間において接続を確立する（３ウェイ・ハンドシェイク）に際して、送受信されるパケットである。
【００６７】
各種情報は、例えば、Ｗｅｂコンテンツを要求するに際して、Ｗｅｂサーバと情報端末装置との間において送受信されるＨＴＴＰ（Ｈｙｐｅｒｔｅｘｔ＿Ｔｒａｎｓｆｅｒ＿Ｐｒｏｔｏｃｏｌ）リクエストメッセージ及びＨＴＴＰレスポンスメッセージである。
【００６８】
即ち、通信情報１０３は、情報端末装置においてＷｅｂサイトを表示する際に送信される情報の何れか、または１つ以上の当該情報である。
【００６９】
ステップＳ１０６において「ＮＯ」：
解析部２は、受信した情報が通信情報１０３であるか否かを判別した結果、通信情報１０３でないと判別した場合に、処理をステップＳ１０１に戻す。
【００７０】
ステップＳ１０６において「ＹＥＳ」：
解析部２は、受信した情報が通信情報１０３であるか否かを判別した結果、通信情報１０３であると判別した場合に、処理をステップＳ１０７に進める。
【００７１】
ステップＳ１０７：
解析部２は、記憶部５を参照すると共に、参照した記憶部５にトリガー蓄積情報１０２が記録されているか否かを判別する。
【００７２】
ステップＳ１０８において「ＮＯ」：
解析部２は、記憶部５にトリガー蓄積情報１０２が記録されているか否かを判別した結果、記憶部５にトリガー蓄積情報１０２が記録されていないと判別した場合に、処理をステップＳ１０１に戻す。
【００７３】
ステップＳ１０８において「ＹＥＳ」：
解析部２は、記憶部５にトリガー蓄積情報１０２が記録されているか否かを判別した結果、記憶部５にトリガー蓄積情報１０２が記録されていると判別した場合に、処理をステップＳ１０９に進める。
【００７４】
ステップＳ１０９：
解析部２は、通信情報１０３を解析すると共に、通信情報１０３の中から第２の識別子と、ドメイン情報とを抽出する。
【００７５】
ここで、第２の識別子とは、第２の情報端末装置に付与されたＩＰアドレスを示す情報である。
【００７６】
さらに、解析部２は、抽出した第２の識別子とドメイン情報と、通信情報１０３を受信した時刻（第２の受信時刻）とをリスト生成部３に与える。
【００７７】
ステップＳ１１０：
リスト生成部３は、解析部２から第２の識別子、ドメイン情報及び第２の受信時刻を受信するのに応じて、第２の識別子に基づいて、記憶部５の端末情報１０４を参照すると共に、端末情報１０４の中から第２の識別子に関連付けられた情報端末装置の名称を求める。
【００７８】
次に、リスト生成部３は、トリガー蓄積情報１０２を参照すると共に、参照したトリガー蓄積情報１０２の中から第１の受信時刻と、整理番号とを求める。
【００７９】
ここで、端末情報１０４は、例えば、システム管理者によって、予め、情報端末装置の識別子（ＩＰアドレス）と、情報端末装置の名称とを関連付けて記憶部５に記録された情報である。
【００８０】
より具体的に、名称とは、例えば、「ノートパソコン」、「タブレット」、「ＰＣ」（Ｐｅｒｓｏｎａｌ＿ｃｏｍｐｕｔｅｒ：以降、「ＰＣ」と称する）及び「Ｌａｖｉｅ」等の情報端末装置の名称を表す情報である。
【００８１】
ステップＳ１１１：
リスト生成部３は、第１の受信時刻と第２の受信時刻との差分値（時刻差分値）を算出すると共に、算出した時刻差分値に応じて、重み付けをすることにより確率値を算出する。
【００８２】
より具体的に、リスト生成部３は、係る時刻差分が小さいほど確率値が大きくなるように大きな値を乗じる。一方で、リスト生成部３は、係る時刻差分値が大きいほど確率値が小さくなるように小さな値を乗じる。
【００８３】
これにより、リスト生成部３は、情報端末装置毎に確率値を算出することができる。
【００８４】
尚、上述した本実施形態では、説明の便宜上、一例として、トリガー情報１０１及び通信情報１０３のタイムスタンプは、トリガー情報１０１及び通信情報１０３を受信した時刻とする構成を採用することとする。その理由は、情報端末装置間において時刻を同期する処理を省略することができるからである。
【００８５】
即ち、係るタイムスタンプをトリガー情報１０１及び通信情報１０３を送信した時刻とする構成を採用する場合に、情報端末装置は、それぞれの情報端末装置間において時刻を同期することによって、時刻差分値の精度を確保する必要がある。
【００８６】
ステップＳ１１２：
リスト生成部３は、所望の情報端末装置を特定可能な、整理番号、算出した確率値、第２の識別子（例えば、ＩＰアドレス等）、名称、ドメイン情報及び第２の受信時刻に基づいて、端末リストを生成する。
【００８７】
即ち、端末リストは、整理番号をキーとして、整理番号、確率値、第２の識別子、名称、ドメイン情報及び第２の受信時刻が関連付けられた情報である。
【００８８】
より具体的に、リスト生成部３は、端末リストを生成するに際して、算出した確率値の値が大きい順となるように端末リストを生成する。
【００８９】
即ち、リスト生成部３は、算出した確率値が大きい順に、整理番号、確率値、第２の識別子、名称、ドメイン情報及び第２の受信時刻を関連付けて並べることによって、端末リストを生成する。
【００９０】
これにより、例えば、ユーザは、所望の情報端末装置を容易に特定することができる。
【００９１】
尚、上述した本実施形態では、説明の便宜上、一例として、リスト生成部３は、整理番号、確率値、第２の識別子、名称、ドメイン情報及び第２の受信時刻を含む端末リストを提示する構成を例に説明した。
【００９２】
しかしながら本発明に係る実施形態は、係る構成に限定されない。
【００９３】
リスト生成部３は、端末リストの中でも、少なくとも確率値、第２の識別子及び名称を関連付けて端末リストを生成する構成を採用してもよい。また、リスト生成部３は、端末リストの中から、例えば、ユーザが容易に特定可能なように名称、ドメイン情報及び確率値等の特定の情報を提示した表示態様により提示する構成を採用してもよい（例えば、図１１）。
【００９４】
次に、リスト生成部３は、生成した端末リストを記憶部５に記録すると共に、通信部４を介して端末リストを提示する。
【００９５】
より具体的に、リスト生成部３は、第１の識別子（ＩＰアドレス）宛に通信部４を介して端末リストを提示する。
【００９６】
即ち、リスト生成部３は、トリガー情報１０１を送信した第１の情報端末装置に対して端末リストを提示する。
【００９７】
尚、リスト生成部３は、新たに通信情報１０３を受信した場合に、重み付けを変更するとことにより改めて確率値を算出すると共に、算出した確率値に基づいて、端末リストを生成する。
【００９８】
このように本実施の形態に係る端末特定装置１によれば、１つ以上の情報端末装置がある場合であっても、ユーザ等による特別な操作を必要とせず、１つ以上の情報端末装置の中から、所望の情報端末装置を特定することができる。その理由は、以下に述べる通りである。
【００９９】
即ち、端末特定装置１のリスト生成部３は、トリガー情報１０１を受信した時刻と、Ｗｅｂサイトにアクセスする際に送信される通信情報１０３を受信した時刻とに基づき所定の演算によって、確率値を算出する。さらに、リスト生成部３は、算出した確率値の値に応じて、１つ以上の情報端末装置を順位付けする。
【０１００】
これにより、リスト生成部３は、例えば、ユーザが操作した情報端末装置が上位になるように端末リストを生成することができるからである。
【０１０１】
また、端末特定装置１の解析部２は、例えば、ユーザが情報端末装置においてＷｅｂサイトにアクセスする際に送信される通信情報１０３を解析すると共に、通信情報１０３の中から当該情報端末装置の第２の識別子と、ドメイン情報とを抽出する。
【０１０２】
そのため、ユーザは、Ｗｅｂサイトを、例えば、一般的に知られたブラウザを操作することによって表示するだけでよい。即ち、ユーザは、煩雑な操作をすることなく容易に情報端末装置を特定することができる。
【０１０３】
＜第２の実施形態＞
次に、上述した本発明の第１の実施形態に係る端末特定装置１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【０１０４】
本発明の第２の実施形態における端末特定装置１０について、図３を参照して説明する。
【０１０５】
図３は、本発明の第２の実施形態における端末特定装置１０を含む端末特定システム５０の構成を示すブロック図である。
【０１０６】
図３において、端末特定システム５０は、端末特定装置１０と記憶部５とを含む中継装置５１と、第１の情報端末装置５２と、第２の情報端末装置５３とを備える。
【０１０７】
端末特定装置１０は、解析部１１と、リスト生成部３と、第１の情報更新部１２とを備える。
【０１０８】
より具体的に、第１の情報更新部１２は、例えば、所望の情報端末装置を識別可能な特定の第２の識別子（ＩＰアドレス）を含む端末特定情報１０５を受信するのに応じて、当該情報端末装置から受信した通信情報１０３に対する応答に、ＷｅｂサイトのＵＲＬ等の移行情報を含めて当該情報端末装置に応答する。
【０１０９】
次に、第１の情報端末装置５２は、第１の端末特定部５７と、トリガー送信部５８とを備える。
【０１１０】
より具体的に、第１の端末特定部５７は、中継装置５１から通信部５６を介して受信した端末リストを出力部５５に表示する。
【０１１１】
さらに、第１の端末特定部５７は、出力部５５に表示された端末リストの中から、例えば、ユーザが入力部５４を操作することによって、所望の情報端末装置を選定する操作を受け付ける。
【０１１２】
次に、第１の端末特定部５７は、端末リストの中から選択された情報端末装置に関連付けられた特定の第２の識別子（ＩＰアドレス）を求める。第１の端末特定部５７は、第１の情報端末装置５２において表示中のＷｅｂサイトに関するＵＲＬ等を表す情報（移行情報）を求める。
【０１１３】
さらに、第１の端末特定部５７は、求めた特定の第２の識別子と移行情報とを含む端末特定情報１０５を中継装置５１に対して送信する。
【０１１４】
尚、上述した本実施形態では、説明の便宜上、一例として、第１の端末特定部５７は、情報端末装置において表示中のＷｅｂサイトに関するＵＲＬを表す情報を求める構成を例に説明した。
【０１１５】
しかしながら本発明に係る実施形態は、係る構成に限定されず、第１の端末特定部５７は、情報端末装置において表示中の画像、映像、音声及びテキスト情報等の移行情報を求める構成を採用してもよい。
【０１１６】
第１の端末特定部５７が情報端末装置において表示中の移行情報を求める技術自体は、現在では一般的な技術を採用することができるので、本実施形態における詳細な説明は省略する（以下、各実施形態においても同様）。
【０１１７】
トリガー送信部５８は、第１の情報端末装置５２を識別可能な第１の識別子を含むトリガー情報１０１を中継装置５１に対して送信する。
【０１１８】
即ち、トリガー送信部５８は、自装置（第１の情報端末装置５２）に付与されたＩＰアドレスを含むトリガー情報１０１を中継装置５１に対して送信する。
【０１１９】
入力部５４と入力部５９とは、情報端末装置に対する操作を受け付ける。
【０１２０】
出力部５５と出力部６０とは、例えば、情報端末装置に備えるディスプレイ等のユーザインタフェースを介してＷｅｂサイト等の各種コンテンツをユーザに提示する。
【０１２１】
通信部５６と通信部６１とは、第１の実施形態において説明した通信部４に相当する。
【０１２２】
通信ネットワーク１１０は、例えば、携帯電話事業者が所有する各種通信回線、インターネットサービスプロバイダ等が提供するインターネット等の一般的な通信回線やホームゲートウェイ等により構成された家庭内のネットワークである。
【０１２３】
但し、本実施形態を例に説明する本発明は、前述した構成には限定されない（以下、各実施形態においても同様）。
【０１２４】
以下の説明において、より具体的に、本実施形態における端末特定装置１０の動作について説明する。
【０１２５】
図４（図４Ａ及び図４Ｂ）は、本発明の第２の実施形態における端末特定装置１０が行う動作を示すフローチャートである。係るフローチャートに沿って端末特定装置１０の動作手順を説明する。
【０１２６】
ここでは、一例として、第１の情報端末装置５２のトリガー送信部５８は、ユーザが入力部５４を操作するのに応じて、中継装置５１に対してトリガー情報１０１を送信することとする。
【０１２７】
次に、ユーザは、第２の情報端末装置５３においてＷｅｂブラウザを操作すると共に、Ｗｅｂサイトにアクセスすることとする。
【０１２８】
これにより、第２の情報端末装置５３は、係るＷｅｂサイトにアクセスする際に通信情報１０３を中継装置５１に対して送信する。
【０１２９】
また、第１の情報端末装置５２において、端末リストを受信した場合に、ユーザは、出力部５５に表示された端末リストの中から、第２の情報端末装置５３を選定することとする。
【０１３０】
これにより、第１の端末特定部５７は、第２の情報端末装置５３に関連付けられた第２の識別子と、ＵＲＬを表す情報とを含む端末特定情報１０５を中継装置５１に対して送信する。
【０１３１】
尚、説明の便宜上、上述した構成を例に説明するが、本実施形態を例に説明する本発明は、前述した構成にはこれに限定されない（以下の実施形態においても同様）。
【０１３２】
尚、図４において、端末特定装置１０が行うステップＳ２０１乃至ステップＳ２０４に示す動作は、第１の実施形態における図２においていて説明した端末特定装置１が行うステップＳ１０１乃至ステップＳ１０４に示す動作と同様である。
【０１３３】
さらに、図４において、端末特定装置１０が行うステップＳ２１３乃至ステップＳ２１８に示す動作は、第１の実施形態における図２においていて説明した端末特定装置１が行うステップＳ１０７乃至ステップＳ１１２に示す動作と同様である。そのため、重複する説明は省略する。
【０１３４】
ステップＳ２０５：
解析部１１は、通信部４を介して受信した情報が端末特定情報１０５であるか否かを判別する。
【０１３５】
ステップＳ２０６において「ＮＯ」：
解析部１１は、受信した情報が端末特定情報１０５であるか否かを判別した結果、端末特定情報１０５でないと判別した場合に、処理をステップＳ２０８に進める。
【０１３６】
ステップＳ２０６において「ＹＥＳ」：
解析部１１は、受信した情報が端末特定情報１０５であるか否かを判別した結果、端末特定情報１０５であると判別した場合に、処理をステップＳ２０７に進める。
【０１３７】
ステップＳ２０７：
解析部１１は、受信した端末特定情報１０５を記憶部５に記録する。
【０１３８】
ステップＳ２０８：
解析部１１は、通信部４を介して受信した情報が通信情報１０３であるか否かを判別する。
【０１３９】
ステップＳ２０９において「ＮＯ」：
解析部１１は、受信した情報が通信情報１０３であるか否かを判別した結果、通信情報１０３でないと判別した場合に、処理をステップＳ２０１に戻す。
【０１４０】
ステップＳ２０９において「ＹＥＳ」：
解析部１１は、受信した情報が通信情報１０３であるか否かを判別した結果、通信情報１０３であると判別した場合に、処理をステップＳ２１０に進める。
【０１４１】
ステップＳ２１０：
解析部１１は、受信した通信情報１０３が端末特定情報１０５に含まれる識別子に関連付けられた特定の情報端末装置から送信された通信情報１０３であるか否かを判別する。
【０１４２】
より具体的に、解析部１１は、記憶部５に記録されている端末特定情報１０５の中から識別子（ＩＰアドレス）と移行情報とを求める。
【０１４３】
ここで、解析部１１は、端末特定情報１０５の中から、第２の識別子とＵＲＬを表す情報とを求めることとする。
【０１４４】
さらに、解析部１１は、受信した通信情報１０３を解析すると共に、通信情報１０３の中から識別子を抽出する。
【０１４５】
解析部１１は、求めた第２の識別子と抽出した識別子とに基づいて、受信した通信情報１０３が端末特定情報１０５に含まれる第２の識別子に関連付けられた第２の情報端末装置から送信された通信情報１０３であるか否かを判別する。
【０１４６】
より具体的に、解析部１１は、求めた第２の識別子と抽出した識別子とを比較すると共に、比較した結果、２つの識別子が同一と判別した場合に、通信情報１０３が端末特定情報１０５に含まれる第２の識別子に関連付けられた第２の情報端末装置から送信された通信情報１０３であると判別する。
【０１４７】
ステップＳ２１１において「ＮＯ」：
解析部１１は、受信した通信情報１０３が端末特定情報１０５に含まれる識別子に関連付けられた特定の情報端末装置が送信する通信情報１０３であるか否かを判別した結果、当該情報端末装置から送信された通信情報１０３でないと判別した場合に、処理をステップＳ２１３に進める。
【０１４８】
ステップＳ２１１において「ＹＥＳ」：
解析部１１は、受信した通信情報１０３が端末特定情報１０５に含まれる識別子に関連付けられた特定の情報端末装置が送信する通信情報１０３であるか否かを判別した結果、当該情報端末装置が送信する通信情報１０３であると判別した場合に、処理をステップＳ２１２に進める。
【０１４９】
ステップＳ２１２：
第１の情報更新部１２は、通信情報１０３に対する応答に、ステップＳ２１０において求めた移行情報を含めて係る情報端末装置に応答する。
【０１５０】
より具体的に、第１の情報更新部１２は、情報端末装置において閲覧中のＷｅｂサイトからステップＳ２１０において求めたＵＲＬに転送するよう（リダイレクト）に、通信情報１０３に対する応答に含めて係る情報端末装置に対して応答する。
【０１５１】
例えば、通信情報１０３がＨＴＴＰリクエストメッセージを表す場合に、第１の情報更新部１２は、ステップＳ２１０において求めたＵＲＬにリダイレクトするように、ＨＴＴＰリクエストメッセージに対する応答（つまり、ＨＴＴＰレスポンスメッセージ）に含めて情報端末装置に対して応答する。
【０１５２】
尚、上述した本実施形態では、説明の便宜上、一例として、第１の情報更新部１２は、ステップＳ２１０において求めたＵＲＬにリダイレクトするように、通信情報１０３に対する応答に含めて係る情報端末装置に対して応答する構成を例に説明した。
【０１５３】
しかしながら本発明に係る実施形態は、係る構成に限定されず、第１の情報更新部１２は、待機状態となるように、通信情報１０３に対する応答に含めて係る情報端末装置に対して応答する構成を採用してもよい。
【０１５４】
その場合に、例えば、ユーザは、通信情報１０３に対する応答を受信した情報端末装置において、待機状態であることを確認する。
【０１５５】
さらに、ユーザは、係る情報端末装置において待機状態を確認した場合に、所定の操作によって、待機状態を解除する。係る情報端末装置は、待機状態を解除されるのに応じて、ステップＳ２１０において求めたＵＲＬを表示する。
【０１５６】
一方で、係る情報端末装置において待機状態を確認できない場合に、係る情報端末装置は、通信情報１０３において要求されたＷｅｂサイトにアクセスする。
【０１５７】
このように、係る情報端末装置において待機状態にすることによって、第１の情報更新部１２は、ユーザが間違って所望の情報端末装置と異なる情報端末装置を選定した場合であっても、特定した異なる情報端末装置に移行情報を移行することを防止することができる。
【０１５８】
尚、上述した本実施形態では、説明の便宜上、一例として、第２の情報端末装置５３は、第１の端末特定部５７と、トリガー送信部５８とを含まない構成を例に説明した。
【０１５９】
しかしながら本発明に係る実施形態は、係る構成に限定されず、第２の情報端末装置５３は、第１の端末特定部５７と、トリガー送信部５８とを含む構成を採用してもよい（以下、各実施形態においても同様）。
【０１６０】
また、説明の便宜上、一例として、端末特定システム５０は、第２の情報端末装置５３を備える構成を例に説明した。
【０１６１】
しかしながら、本発明に係る実施形態は、係る構成に限定されず、端末特定システム５０は、複数の第２の情報端末装置５３を備える構成を採用してもよい。
【０１６２】
このように本実施の形態に係る端末特定装置１０によれば、第１の実施形態において説明した効果を享受できると共に、さらに、所望の情報端末装置を特定するだけでなく、例えば、第１の情報端末装置５２から特定した所望の情報端末装置（第２の情報端末装置５３）に対して移行情報を提示（移行）することができる。即ち、端末特定装置１０は、よりユーザの利便性を高めることができる。
【０１６３】
その理由は、端末特定装置１０の第１の情報更新部１２は、端末特定情報１０５に基づいて、受信した情報が特定の情報端末装置から送信された通信情報１０３であるか否かを判別する。
【０１６４】
さらに、第１の情報更新部１２は、特定の情報端末装置から送信された通信情報１０３であると判別した場合に、通信情報１０３に対する応答に、解析部１１が端末特定情報１０５の中から求めた移行情報を含めて第２の情報端末装置５３に応答することができるからである。
【０１６５】
即ち、ユーザは、第１の情報端末装置５２における移行情報を、第２の情報端末装置５３へ容易に移行することができる。
【０１６６】
＜第３の実施形態＞
次に、上述した本発明の第２の実施形態に係る端末特定装置１０を基本とする第３の実施形態について説明する。以下の説明においては、本実施形態に係る特徴的な部分を中心に説明する。その際、上述した各実施形態と同様な構成については、同一の参照番号を付すことにより、重複する説明は省略する。
【０１６７】
本発明の第３の実施形態における端末特定装置２０について、図５を参照して説明する。
【０１６８】
図５は、本発明の第３の実施形態における端末特定装置２０を含む端末特定システム７０の構成を示すブロック図である。
【０１６９】
図５において、端末特定システム７０は、端末特定装置２０と記憶部５とを含む中継装置７１と、第１の情報端末装置７２と、第２の情報端末装置５３と、第３の情報端末装置７３とを備える。
【０１７０】
端末特定装置２０は、解析部１１と、リスト生成部７４と、第１の情報更新部１２とを備える。
【０１７１】
より具体的に、端末特定装置２０のリスト生成部７４は、生成した端末リストを記憶部５に記録する。即ち、リスト生成部７４は、通信部４を介して生成した端末リストを提示しない点が各実施形態において説明したリスト生成部３と異なる。
【０１７２】
第１の情報端末装置７２は、トリガー送信部７５を備える。第３の情報端末装置７３は、第２の端末特定部７９を備える。
【０１７３】
第１の情報端末装置７２のトリガー送信部７５は、自装置（第１の情報端末装置７２）において表示中のＷｅｂサイトに関するＵＲＬを表す情報（移行情報）を求める。
【０１７４】
さらに、トリガー送信部７５は、求めたＵＲＬを表す情報と、第１の情報端末装置７２を識別可能な第１の識別子とを含むトリガー情報１０１を中継装置７１に対して送信する。
【０１７５】
第３の情報端末装置７３の第２の端末特定部７９は、通信部７８を介して中継装置７１の記憶部５から端末リストを取得する。さらに、第２の端末特定部７９は、取得した端末リストを出力部７７に表示する。
【０１７６】
第２の端末特定部７９は、出力部７７に表示された端末リストの中から、例えば、ユーザが入力部７６を操作することによって、所望の情報端末装置を選定する操作を受け付ける。
【０１７７】
次に、第２の端末特定部７９は、端末リストの中から選択された情報端末装置に関連付けられた特定の第２の識別子（ＩＰアドレス）を求める。
【０１７８】
第２の端末特定部７９は、求めた特定の第２の識別子を含む端末特定情報１０５を中継装置７１に対して送信する。
【０１７９】
尚、上述した本実施形態では、説明の便宜上、一例として、リスト生成部７４は、通信部４を介して生成した端末リストを提示しない構成を例に説明した。
【０１８０】
しかしながら本発明に係る実施形態は、係る構成に限定されず、リスト生成部７４は、通信部４を介して生成した端末リストを提示する構成を採用してもよい。
【０１８１】
このように本実施の形態に係る端末特定装置２０によれば、各実施形態において説明した効果を享受できると共に、さらに、第３の情報端末装置において所望の情報端末装置を特定することができる。
【０１８２】
その理由は、第２の端末特定部７９は、通信ネットワーク１１０を介して接続された中継装置７１の記憶部５から端末リストを取得すると共に、取得した端末リストを出力部７７に提示する。このため、例えば、第１及び第２の情報端末装置を所有するユーザと異なるユーザが第２の端末特定部７９を備える第３の情報端末装置７３を所有する場合に、第３の情報端末装置７３を所有するユーザは、容易に所望の情報端末装置を特定することができる。
【０１８３】
即ち、ＩＴリテラシーの低いユーザが第１及び第２の情報端末装置を所有する場合に、第３の情報端末装置７３を所有するユーザは、第３の情報端末装置７３において第２の情報端末装置を特定することができる。そのため、第３の情報端末装置７３を所有するユーザは、ＩＴリテラシーの低いユーザを手助けすることができる。
【０１８４】
＜第４の実施形態＞
次に、上述した本発明の第１及び第２の実施形態に係る端末特定装置を基本とする実施形態について説明する。以下の説明においては、本実施形態に係る特徴的な部分を中心に説明する。その際、上述した各実施形態と同様な構成については、同一の参照番号を付すことにより、重複する説明は省略する。
【０１８５】
本発明の端末特定装置１に係る実施形態における端末特定システム８０について、図６及び図１１を参照して説明する。
【０１８６】
図６は、本発明の第４の実施形態における端末特定装置１を含む端末特定システム８０の構成を示すブロック図である。
【０１８７】
図６において、端末特定システム８０は、大別して、端末特定装置１と記憶部５とを含むホームゲートウェイ８１と、スマートフォン８２と、タブレット端末８３と、パーソナルコンピュータ８４（以降、「ＰＣ８４」とも記す）とを備える。
【０１８８】
ホームゲートウェイ８１は、各実施形態における中継装置に相当する。スマートフォン８２は、各実施形態における第１の情報端末装置に相当する。パーソナルコンピュータ８４は、各実施形態における第２の情報端末装置に相当する。
【０１８９】
タブレット端末８３は、一般的に知られた携帯端末装置である。タブレット端末８３は、不図示の入力部、出力部及び通信Ｉ／Ｆ（ｉｎｔｅｒｆａｃｅ）を備える。
【０１９０】
より具体的に、ホームゲートウェイ８１は、一般的に知られたルータとして機能する。
【０１９１】
ホームゲートウェイ８１は、ＬＡＮ（Ｌｏｃａｌ＿Ａｒｅａ＿Ｎｅｔｗｏｒｋ）側のホームネットワーク１１１と、ＷＡＮ（Ｗｉｄｅ＿Ａｒｅａ＿Ｎｅｔｗｏｒｋ）側のインターネット１１２との間の通信を仲介する。
【０１９２】
端末特定装置１は、解析部２と、リスト生成部３とを備える。スマートフォン８２は、第３の端末特定部８７と、トリガー送信部５８とを備える。パーソナルコンピュータ８４は、第２の情報更新部８９を備える。
【０１９３】
第３の端末特定部８７は、通信Ｉ／Ｆ８６を介してホームゲートウェイ８１から端末リストを受信する。さらに、第３の端末特定部８７は、受信した端末リストを出力部５５に表示する。
【０１９４】
第３の端末特定部８７は、出力部５５に表示された端末リストの中から、例えば、ユーザが入力部５４を操作することによって、所望の情報端末装置を選定する操作を受け付ける。
【０１９５】
次に、第３の端末特定部８７は、端末リストの中から選択された情報端末装置に関連付けられた特定の第２の識別子（ＩＰアドレス）を求める。
【０１９６】
第３の端末特定部８７は、スマートフォン８２において表示中のＷｅｂサイトに関するＵＲＬを表す情報（移行情報）を求める。第３の端末特定部８７は、求めたＵＲＬを表す情報を、通信Ｉ／Ｆ８６を介して求めた特定の第２の識別子（ＩＰアドレス）宛に送信する。
【０１９７】
入力部５４は、例えば、スマートフォン８２に搭載されたタッチパネルが操作（接触）されることによって、入力を受け付ける。
【０１９８】
出力部５５は、例えば、スマートフォン８２に搭載されたディスプレイにＷｅｂブラウザ等の移行情報を表示する。
【０１９９】
ＰＣ８４の第２の情報更新部８９は、スマートフォン８２の第３の端末特定部８７からＵＲＬを表す情報を、通信Ｉ／Ｆ８８を介して受信する。
【０２００】
第２の情報更新部８９は、受信したＵＲＬを表す情報に基づいて、例えば、一般的に知られたＷｅｂブラウザを用いて出力部６０に表示する。
【０２０１】
入力部５９は、ＰＣ８４に接続されたマウスやキーボードが操作されることによって、入力を受け付ける。
【０２０２】
出力部６０は、ＰＣ８４に接続されたディスプレイにＷｅｂブラウザ等の移行情報を表示する。
【０２０３】
通信Ｉ／Ｆ８５、通信Ｉ／Ｆ８６及び通信Ｉ／Ｆ８８は、第２の実施形態における通信部４、通信部５６及び通信部６１に相当する。
【０２０４】
尚、図６に示した各部は、ソフトウェアプログラムの機能（処理）単位（ソフトウェアモジュール）と捉えることができる。
【０２０５】
以下の説明において、より具体的に、本実施形態における端末特定装置１の動作について説明する。
【０２０６】
ここでは、例えば、ユーザ（第１のユーザ）は、自宅においてスマートフォン８２と、ＰＣ８４とを使用することとする。また、第１のユーザは、スマートフォン８２において閲覧中のＷｅｂコンテンツをＰＣ８４に移行することとする。
【０２０７】
また、通信情報１０３は、ＰＣ８４と不図示のＷｅｂサーバとの間において送信されるＨＴＴＰリクエストメッセージとする。
【０２０８】
タブレット端末８３を使用するユーザ（第２のユーザ）は、スマートフォン８２とＰＣ８４とを使用する第１のユーザと異なることとする。
【０２０９】
尚、説明の便宜上、上述した構成を例に説明するが、本実施形態を例に説明する本発明は、前述した構成にはこれに限定されない（以下の実施形態においても同様）。
【０２１０】
システム管理者は、事前に、端末情報１０４をホームゲートウェイ８１に登録する。
【０２１１】
より具体的に、一例として、ホームゲートウェイ８１に登録する方法は、Ｗｅｂブラウザを用いて、ホームゲートウェイ８１に格納された登録サイトを表示すると共に、登録サイトにおいて入力された情報端末装置のＩＰアドレスと名称とを端末情報１０４として記憶部５に記録する。
【０２１２】
図７は、本発明の実施形態における端末情報１０４の構成を具体的に例示した図である。
【０２１３】
図７において、端末情報１０４は、１列目に識別子（ＩＰアドレス）を示す。２列目には、情報端末装置の名称を示す。
【０２１４】
第１のユーザは、スマートフォン８２においてＷｅｂブラウザを用いてＵＲＬ「ｈｔｔｐ：／／ａｂｃａｂｃａｂｃ／」にアクセスすると共に、Ｗｅｂコンテンツを表示する。
【０２１５】
尚、係るＵＲＬにアクセスする際、通信情報１０３が送信される経路は、スマートフォン８２→ホームネットワーク１１１→ホームゲートウェイ８１→インターネット１１２→Ｗｅｂサーバ（不図示）の順となる。
【０２１６】
第１のユーザは、スマートフォン８２のトリガー送信部５８を起動する。
【０２１７】
より具体的に、一例として、トリガー送信部５８は、ユーザが容易に操作可能なように図８において例示する表示態様を出力部５５に表示する。
【０２１８】
図８は、本発明の実施形態におけるトリガー送信部５８が実行に際して表示する一表示態様を例示する図である。
【０２１９】
図８において、トリガー送信部５８は、第１のユーザに操作を促すメッセージと、操作キーとを出力部５５に表示する。
【０２２０】
より具体的に、一例として、図８に示すメッセージは、「表示中のＷｅｂを、移行する端末においてブラウザを起動する直前に、準備ＯＫボタンを押してください」というメッセージを表示することとする。さらに、図８に示す操作キーとしては、「準備ＯＫ」ボタンを表示することとする。
【０２２１】
第１のユーザは、ＰＣ８４においてＷｅｂブラウザが動作可能な状態となるように準備する。即ち、第１のユーザは、ＰＣ８４の電源を入れると共に、オペレーションシステムを起動する。
【０２２２】
さらに、第１のユーザは、スマートフォン８２の入力部５４を操作することによって、出力部５５に表示された操作キー「準備ＯＫ」ボタンを押下する。
【０２２３】
スマートフォン８２のトリガー送信部５８は、「準備ＯＫ」ボタンが押下されるのに応じて、スマートフォン８２に付与されたＩＰアドレスを含むトリガー情報１０１を、ホームゲートウェイ８１に対して送信する。
【０２２４】
尚、上述した本実施形態では、説明の便宜上、一例として、トリガー送信部５８は、第１のユーザに操作を促すメッセージを表示すると共に、「準備ＯＫ」ボタンが押下されるのに応じて、トリガー情報１０１を送信する構成を例に説明した。
【０２２５】
しかしながら本発明に係る実施形態は、係る構成に限定されない。
【０２２６】
例えば、トリガー送信部５８は、係るメッセージを表示するのに応じて、トリガー情報１０１を送信する構成を採用してもよい。
【０２２７】
また、トリガー送信部５８は、「カウントが０になるタイミングを待ち、Ｗｅｂブラウザを起動してください」というメッセージを表示すると共に、「１０、９、８・・・」といったようにカウンタの値をカウントダウンする。次に、トリガー送信部５８は、カウンタの値が「０」になるのに応じて、トリガー情報１０１を送信する構成を採用してもよい。
【０２２８】
さらに、トリガー送信部５８は、１度目の「準備ＯＫ」ボタンが押下されるのを受け付けるのに応じて、トリガー情報１０１を送信すると共に、再度（２度目）、「準備ＯＫ」ボタンが押下されるまで待機する。
【０２２９】
次に、トリガー送信部５８は、２度目の「準備ＯＫ」ボタンが押下されるのを受け付けるのに応じて、トリガー情報１０１を送信する構成を採用してもよい。
【０２３０】
この場合に、第１のユーザは、１度目の「準備ＯＫ」ボタンを押下すると共に、ＰＣ８４においてＷｅｂブラウザを起動する。次に、第１のユーザは、２度目の「準備ＯＫ」ボタンを押下することとする。
【０２３１】
また、リスト生成部３は、１度目に送信されたトリガー情報１０１を受信した時刻と、通信情報１０３を受信した時刻とに基づいて、求めた時刻差分値Ａと、２度目に送信されたトリガー情報１０１を受信した時刻と、通信情報１０３を受信した時刻とに基づいて、求めた時刻差分値Ｂとを比較する。
【０２３２】
次に、リスト生成部３は、時刻差分値Ａと時刻差分値Ｂとを比較した結果、時刻差分値の値が小さい時刻差分値を採用する。
【０２３３】
これにより、リスト生成部３は、例えば、第１のユーザがＰＣ８４においてＷｅｂブラウザを起動するのに手間取った場合であっても、ＰＣ８４が上位となるように端末リストを生成することができる。即ち、リスト生成部３は、ＰＣ８４が上位になる確度をあげることができる。
【０２３４】
但し、本実施形態を例に説明する本発明は、前述した構成には限定されない（以下、各実施形態においても同様）。
【０２３５】
ＰＣ８４は、第１のユーザによりＷｅｂブラウザが起動されるのに応じて、通信情報１０３を、ホームゲートウェイ８１を介してＷｅｂサーバ宛に送信する。
【０２３６】
ここで、通信情報１０３は、ＰＣ８４においてアクセスしたＷｅｂコンテンツのＵＲＬ「ｈｔｔｐ：／／ｄｅｆｄｅｆｄｅｆ／」と、ＰＣ８４に付与されたＩＰアドレス「１９２．１６８．０．３」とを含むこととする。
【０２３７】
さらに、タブレット端末８３は、第２のユーザによりＷｅｂブラウザが起動されるのに応じて、通信情報１０３を、ホームゲートウェイ８１を介してＷｅｂサーバ宛に送信することとする。
【０２３８】
ここで、タブレット端末８３から送信される通信情報１０３は、タブレット端末８３においてアクセスしたＷｅｂコンテンツのＵＲＬ「ｈｔｔｐ：／／ｇｈｉｇｈｉｇｈｉ／」と、タブレット端末８３に付与されたＩＰアドレス「１９２．１６８．０．４」とを含むこととする。
【０２３９】
ＰＣ８４の第２の情報更新部８９は、スマートフォン８２の第３の端末特定部８７からＵＲＬを表す情報を待ち受けている。
【０２４０】
端末特定装置１の解析部２は、スマートフォン８２から送信されたトリガー情報１０１を受信した場合に、トリガー情報１０１を識別可能な整理番号、トリガー情報１０１に含まれる第１の識別子及びトリガー情報１０１を受信した時刻（第１の受信時刻）を記憶部５のトリガー蓄積情報１０２に記録する。
【０２４１】
図９は、本発明の実施形態におけるトリガー蓄積情報１０２の構成を具体的に例示した図である。
【０２４２】
より具体的に、図９において、トリガー蓄積情報１０２は、１列目に整理番号を示す。２列目には、トリガー情報１０１に含まれる第１の識別子（ＩＰアドレス）を示す。３列目は、トリガー情報１０１を受信した時刻（第１の受信時刻）を示す。
【０２４３】
解析部２は、ＰＣ８４及びタブレット端末８３から送信された通信情報１０３を受信する。
【０２４４】
解析部２は、記憶部５を参照すると共に、参照した記憶部５にトリガー蓄積情報１０２が記録されているか否かを判別する。
【０２４５】
ここでは、記憶部５にトリガー蓄積情報１０２が記録されていることとする。そのため、解析部２は、通信情報１０３を解析すると共に、通信情報１０３の中から第２の識別子と、ドメイン情報とを抽出する。
【０２４６】
さらに、解析部２は、抽出した第２の識別子とドメイン情報と、通信情報１０３を受信した時刻（第２の受信時刻）とをリスト生成部３に与える。
【０２４７】
リスト生成部３は、第２の識別子に基づいて、端末情報１０４の中から第２の識別子に関連付けられた情報端末装置の名称を求める。
【０２４８】
次に、リスト生成部３は、トリガー蓄積情報１０２の中から第１の受信時刻と、整理番号とを求める。
【０２４９】
リスト生成部３は、第１の受信時刻と第２の受信時刻との差分値（時刻差分値）を算出すると共に、算出した時刻差分値に応じて、重み付けをすることにより確率値を算出する。
【０２５０】
より具体的に、ＰＣ８４から通信情報１０３を受信した時刻（第２の受信時刻）を「１０：００：０１：０００」、スマートフォン８２からトリガー情報１０１を受信した時刻（第１の受信時刻）を「１０：００：００：０００」とする場合に、リスト生成部３は、第１の受信時刻と第２の受信時刻との時刻差分値「１」（単位は、秒）を算出する。
【０２５１】
さらに、タブレット端末８３から通信情報１０３を受信した時刻（第２の受信時刻）を「１０：００：１０：０００」とする場合に、リスト生成部３は、第１の受信時刻と第２の受信時刻との時刻差分値「１０」（単位は、秒）を算出する。
【０２５２】
時刻差分値が大きいほど、ユーザが操作した情報端末装置である確率は、低くなる。
【０２５３】
そのため、リスト生成部３は、時刻差分値に重み付けをする目的として、時刻差分値が小さいほど、大きな値を乗じる。
【０２５４】
より具体的に、時刻差分値「１」には、「９０」を乗じることによりＰＣ８４に対する確率値「９０」を算出する。時刻差分値「１０」には、「０．１」を乗じることによりタブレット端末８３に対する確率値「１」を算出する。
【０２５５】
リスト生成部３は、整理番号、算出した確率値、第２の識別子（ＩＰアドレス）、名称、ドメイン情報及び第２の受信時刻に基づいて、端末リストを生成する。
【０２５６】
図１０は、本発明の実施形態における端末リストの構成を具体的に例示した図である。
【０２５７】
図１０において、端末リストは、１列目に整理番号を示す。２列目には、算出した確率値を示す。３列目は、トリガー情報１０１に含まれる第１の識別子（ＩＰアドレス）を示す。４列目は、端末情報１０４の中から求めた情報端末装置の名称を示す。
【０２５８】
また、図１０において、５列目は、ドメイン情報を示す。６列目には、第２の受信時刻を示す。
【０２５９】
尚、リスト生成部３は、情報端末装置の通信履歴を提示可能なように端末リストを生成する構成を採用してもよい。
【０２６０】
これにより、算出した確率値の値が同一の場合に、例えば、第１のユーザは、係る通信履歴に基づいて、情報端末装置を特定することができる。
【０２６１】
次に、リスト生成部３は、生成した端末リストを記憶部５に記録すると共に、通信部４を介して端末リストを、トリガー情報１０１の送信元であるスマートフォン８２に対して送信する。
【０２６２】
即ち、リスト生成部３は、生成した端末リストを第１の識別子「１９２．１６８．０．３」宛に送信する。
【０２６３】
スマートフォン８２の第３の端末特定部８７は、通信Ｉ／Ｆ８６を介してホームゲートウェイ８１から端末リストを受信する。
【０２６４】
さらに、第３の端末特定部８７は、受信した端末リストを、例えば、第１のユーザが情報端末装置を容易に選択可能なようにインタフェースを生成すると共に、生成したインタフェースを出力部５５に表示する。
【０２６５】
図１１は、本発明の実施形態における第３の端末特定部８７が端末リストを出力部５５に表示する一表示態様を例示する図である。
【０２６６】
図１１において、端末リストは、第１のユーザに操作を促すメッセージと、端末の属性情報と、操作キーとを出力部５５に表示する。
【０２６７】
より具体的に、一例として、図１１に示すメッセージは、「移行したい端末のラジオボタンを選択して、ＯＫボタンを押してください」というメッセージを表示することとする。
【０２６８】
さらに、図１１において、端末の属性情報は、１列目に複数の選択肢の中から１つの情報端末装置を選択可能なラジオボタンを示す。２列目には、情報端末装置の名称を示す。３列目は、ドメイン情報（アクセス先）を示す。４列目は、リスト生成部３において生成した確率値を示す。
【０２６９】
図１１に示す操作キーとしては、「ＯＫ」ボタンを表示することとする。
【０２７０】
ここでは、端末リストは、第１のユーザが所望の情報端末装置を、容易に判別可能なように名称、アクセス先及び確率値を含む構成を採用してもよい。
【０２７１】
その理由は、例えば、端末リストに識別子（ＩＰアドレス）を含めた場合に、第１のユーザは、どの情報端末装置のＩＰアドレスを表すのかが容易に判別できない可能性がある。
【０２７２】
そのため、端末リストは、第１のユーザが所望の情報端末装置を、容易に判別可能な情報を提示する構成を採用することができる。
【０２７３】
また、確率値を提示することによって、第１のユーザは、所望の情報端末装置に対する確率値がどのくらいなのかが一目でわかる。
【０２７４】
第１のユーザにより図１１に示す「ＰＣ」に関連付けられたラジオボタンが選択されると共に、操作キーである「ＯＫ」ボタンが押下された際に、第３の端末特定部８７は、第１のユーザによる操作を受け付ける。
【０２７５】
さらに、第３の端末特定部８７は、端末リストの中から選択された情報端末装置「ＰＣ」に関連付けられた特定の第２の識別子（ＩＰアドレス）「１９２．１６８．０．３」を求める。
【０２７６】
第３の端末特定部８７は、スマートフォン８２において表示中のＷｅｂサイトに関するＵＲＬを表す情報（移行情報）を求める。第３の端末特定部８７は、求めたＵＲＬを表す情報を、通信Ｉ／Ｆ８６を介して求めた特定の第２の識別子「１９２．１６８．０．３」宛に送信する。
【０２７７】
即ち、第３の端末特定部８７は、求めたＵＲＬを表す情報を、ＰＣ８４に対して送信する。
【０２７８】
ここで、スマートフォン８２において表示中のＷｅｂサイトに関するＵＲＬは、「ｈｔｔｐ：／／ａｂｃａｂｃａｂｃ」とする。
【０２７９】
ＰＣ８４の第２の情報更新部８９は、第３の端末特定部８７からＵＲＬを表す情報を受信する。
【０２８０】
第２の情報更新部８９は、受信したＵＲＬを表す情報に含まれるＵＲＬ「ｈｔｔｐ：／／ａｂｃａｂｃａｂｃ」を引数とすると共に、その引数に基づきＷｅｂブラウザを起動する。
【０２８１】
出力部６０は、ＵＲＬ「ｈｔｔｐ：／／ａｂｃａｂｃａｂｃ」に基づいて、Ｗｅｂブラウザにおいて表示されたＷｅｂサイトを表示する。
【０２８２】
このように本実施の形態に係る端末特定装置１によれば、各実施形態において説明した効果を享受できる。
【０２８３】
また、端末特定装置は、例えば、一般的に知られたパーソナルコンピュータや携帯端末装置、スマーフォン等の情報端末装置に適用して好適である。
【０２８４】
端末特定システム８０は、第１のユーザがＰＣ８４においてＷｅｂブラウザを起動することによって、１つ以上の情報端末装置がある場合にであっても、ＰＣ８４を特定することができる。
【０２８５】
そのため、情報端末装置は、近距離通信機能を搭載する必要がない。また、第１のユーザは、スマートフォン８２及びＰＣ８４において煩雑な設定をすることなく、特定の情報端末装置を特定することができる。さらに、第１のユーザは移行情報を、容易に移行することができる。
【０２８６】
（ハードウェア構成例）
上述した実施形態において図面に示した各部は、ソフトウェアプログラムの機能（処理）単位（ソフトウェアモジュール）と捉えることができる。これらの各ソフトウェアモジュールは、専用のハードウェアによって実現してもよい。但し、これらの図面に示した各部の区分けは、説明の便宜上の構成であり、実装に際しては、様々な構成が想定されうる。この場合のハードウェア環境の一例を、図１２を参照して説明する。
【０２８７】
図１２は、本発明の模範的な実施形態に係る端末特定装置を実行可能な情報処理装置３００（コンピュータ）の構成を例示的に説明する図である。即ち、図１２は、図１に示した端末特定装置１、或いは、図３に示した端末特定装置１０、図５に示した端末特定装置２０及び図６に示した端末特定装置１、の全体または一部の端末特定装置を実現可能なサーバ等のコンピュータ（情報処理装置）の構成であって、上述した実施形態における各機能を実現可能なハードウェア環境を表す。
【０２８８】
図１２に示した情報処理装置３００は、ＣＰＵ（Ｃｅｎｔｒａｌ＿Ｐｒｏｃｅｓｓｉｎｇ＿Ｕｎｉｔ）３０１、ＲＯＭ（Ｒｅａｄ＿Ｏｎｌｙ＿Ｍｅｍｏｒｙ）３０２、ＲＡＭ（Ｒａｎｄｏｍ＿Ａｃｃｅｓｓ＿Ｍｅｍｏｒｙ）３０３、ハードディスク３０４（記憶装置）、並びに外部装置との通信インタフェース（Ｉｎｔｅｒｆａｃ：以降、「Ｉ／Ｆ」と称する）３０５、ＣＤ−ＲＯＭ（Ｃｏｍｐａｃｔ＿Ｄｉｓｃ＿Ｒｅａｄ＿Ｏｎｌｙ＿Ｍｅｍｏｒｙ）等の記憶媒体３０７に格納されたデータを読み書き可能なリーダライタ３０８を備え、これらの構成がバス３０６（通信線）を介して接続された一般的なコンピュータである。
【０２８９】
そして、上述した実施形態を例に説明した本発明は、図１２に示した情報処理装置３００に対して、その説明において参照したブロック構成図（図１、図３、図５、図６）或いはフローチャート（図２、図４Ａ及び図４Ｂ）の機能を実現可能なコンピュータ・プログラムを供給した後、そのコンピュータ・プログラムを、当該ハードウェアのＣＰＵ３０１に読み出して実行することによって達成される。また、当該装置内に供給されたコンピュータ・プログラムは、読み書き可能な一時記憶メモリ（ＲＡＭ３０３）またはハードディスク３０４等の不揮発性の記憶デバイスに格納すれば良い。
【０２９０】
また、前記の場合において、当該ハードウェア内へのコンピュータ・プログラムの供給方法は、ＣＤ−ＲＯＭ等の各種記憶媒体３０７を介して当該装置内にインストールする方法や、インターネット等の通信回線を介して外部よりダウンロードする方法等のように、現在では一般的な手順を採用することができる。そして、このような場合において、本発明は、係るコンピュータ・プログラムを構成するコード或いは、そのコードが格納された記憶媒体によって構成されると捉えることができる。
【０２９１】
尚、上述した各実施形態の一部又は全部は、以下の付記のようにも記載されうる。しかしながら、上述した実施形態により例示的に説明した本発明は、以下には限らない。
（付記１）
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与える解析部と、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示するリスト生成部と、
を備えることを特徴とする端末特定装置。
（付記２）
前記リスト生成部は、
外部端末を識別可能な識別子と外部端末の名称とを含む端末情報の中から前記第２の識別子に関連付けられた外部端末の名称を求め、前記確率値の値が大きい順となるように、前記確率値、前記第２の識別子、前記名称、前記ドメイン情報及び前記第２の受信時刻との中から、少なくとも前記確率値、前記第２の識別子及び前記名称を関連付けることによって前記端末リストを生成する
ことを特徴とする付記１に記載の端末特定装置。
（付記３）
前記リスト生成部は、
前記所定の演算として、前記第１の受信時刻と、前記第２の受信時刻との時刻差分値を算出すると共に、該時刻差分値に応じて、重み付けをすることにより前記確率値を算出する
ことを特徴とする付記１に記載の端末特定装置。
（付記４）
前記解析部は、
前記トリガー情報を受信した場合は、そのトリガー情報を識別可能な整理番号と前記第１の受信時刻と前記トリガー情報とを関連付けた情報を前記記憶部に記録し、前記通信情報を受信した場合には、該関連付けられた情報が前記記録部に記録されているか否かを判別し、判別した結果、前記記録部に記録されていると判別した場合に、前記第２の識別子と、前記ドメイン情報と、前記第２の受信時刻とを求める
ことを特徴とする付記１に記載の端末特定装置。
（付記５）
前記所望の外部端末を識別可能な特定の第２の識別子と、移行する情報とを含む端末特定情報を受信するのに応じて、前記特定の第２の識別子に基づき所定の処理によって、前記通信情報が前記所望の外部端末から送信された通信情報であるか否かを判別し、前記所望の外部端末から送信された通信情報であると判別した場合に、前記移行情報を前記通信情報に含めて応答する第１の情報更新部を、さらに備える
ことを特徴とする付記１乃至付記４の何れかに記載の端末特定装置。
（付記６）
前記第１の情報更新部は、
前記移行情報として外部端末において表示中のＷｅｂサイトのＵＲＬにリダイレクトするように前記通信情報の応答に含めて応答する
ことを特徴とする付記６に記載の端末特定装置。
（付記７）
付記１乃至付記６の何れかに記載された端末特定装置を含むことを特徴とする中継装置。
（付記８）
前記移行情報の移行元である第１の外部端末と、移行先である第２の外部端末とを含む１つ以上の外部端末と、中継装置とが通信ネットワークを介して通信可能に接続された端末特定システムであって、
前記第１の外部端末は、
前記第２の外部端末においてＷｅｂサイトにアクセスするタイミングを指示すると共に、前記第１の外部端末を識別可能な第１の識別子を含む前記トリガー情報を送信するトリガー送信部と、
前記端末リストの中から前記所望の外部端末を選定する操作を受け付けるのに応じて、前記端末リストに含まれる前記所望の外部端末に関連付けられた前記特定の第２の識別子を求め、前記第１の外部端末から前記移行情報を求め、前記求めた特定の第２の識別子宛に前記求めた移行情報を送信する端末特定部とを備え、
前記第２の外部端末は、
受信した前記移行情報を出力部に表示する第２の情報更新部を備え、
付記１に記載された端末特定装置を含む前記中継装置とを備える
ことを特徴とする端末特定システム。
（付記９）
前記第１の外部端末は、
前記求めた特定の第２の識別子と前記求めた移行情報とを含む前記端末特定情報を送信する前記端末特定部とを備え、
付記１乃至付記６の何れかに記載された端末特定装置を含む前記中継装置とを備える
ことを特徴とする付記８に記載の端末特定システム。
（付記１０）
前記端末特定システムは、
さらに、第３の外部端末を備え、
前記第３の外部端末は、
前記記憶部に記録された前記端末リストを取得し、取得した前記端末リストの中から前記所望の外部端末を選定する操作を受け付けるのに応じて、前記端末リストに含まれる前記所望の外部端末に関連付けられた前記特定の第２の識別子を求め、前記求めた特定の第２の識別子を含む前記端末特定情報を送信する
ことを特徴とする付記８または付記９に記載の端末特定システム。
（付記１１）
情報処理装置によって、
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与え、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示する
ことを特徴とする端末特定方法。
（付記１２）
外部端末においてＷｅｂサイトにアクセスする際に送信される通信情報を受信した場合に、前記通信情報に含まれる第２の識別子と、ドメイン情報とを求めると共に、求めた前記第２の識別子とドメイン情報と、前記通信情報を受信した第２の受信時刻とを与える機能と、
前記アクセスするタイミングを指示するトリガー情報を受信した第１の受信時刻と、前記第２の受信時刻とに基づき所定の演算によって、前記外部端末に対する確率値を算出し、その確率値の値に応じて、所望の外部端末を特定可能な端末リストを生成し、該端末リストを、記憶部に記録すると共に提示する機能と、
をコンピュータに実現させることを特徴とするコンピュータ・プログラム。
【符号の説明】
【０２９２】
１    端末特定装置
２    解析部
３    リスト生成部
４    通信部
５    記憶部
１０    端末特定装置
１１    解析部
１２    第１の情報更新部
２０    端末特定装置
５０    端末特定システム
５１    中継装置
５２    第１の情報端末装置
５３    第２の情報端末装置
５４    入力部
５５    出力部
５６    通信部
５７    第１の端末特定部
５８    トリガー送信部
５９    入力部
６０    出力部
６１    通信部
７０    端末特定システム
７１    中継装置
７２    第１の情報端末装置
７３    第３の情報端末装置
７４    リスト生成部
７５    トリガー送信部
７６    入力部
７７    出力部
７８    通信部
７９    第２の端末特定部
８０    端末特定システム
８１    ホームゲートウェイ
８２    スマートフォン
８３    タブレット端末
８４    パーソナルコンピュータ
８５    通信Ｉ／Ｆ
８６    通信Ｉ／Ｆ
８７    第３の端末特定部
８８    通信Ｉ／Ｆ
８９    第２の情報更新部
１０１    トリガー情報
１０２    トリガー蓄積情報
１０３    通信情報
１０４    端末情報
１０５    端末特定情報
１１０    通信ネットワーク
１１１    ホームネットワーク
１１２    インターネット
３００    情報処理装置
３０１    ＣＰＵ
３０２    ＲＯＭ
３０３    ＲＡＭ
３０４    ハードディスク
３０５    通信インタフェース
３０６    バス
３０７    記憶媒体
３０８    リーダライタ
【図１】
2015012551.tif 000003
【図２】
2015012551.tif 000004
【図３】
2015012551.tif 000005
【図４Ａ】
2015012551.tif 000006
【図４Ｂ】
2015012551.tif 000007
【図５】
2015012551.tif 000008
【図６】
2015012551.tif 000009
【図７】
2015012551.tif 000010
【図８】
2015012551.tif 000011
【図９】
2015012551.tif 000012
【図１０】
2015012551.tif 000013
【図１１】
2015012551.tif 000014
【図１２】
2015012551.tif 000015